(57)【要約】【課題】収納される棒金の種類、金種、数量を正確に検知できる棒金管理装置、棒金管理プログラム及び棒金管理システムを提供する。【解決手段】棒金管理装置は、棒金を収納する溝部に、少なくとも３つのセンサを、溝部の両端のセンサと溝部の端部の隔壁との距離と、隣接する２つの前記センサの間隔との和が短棒金の高さより短く、隣接する２つのセンサの間隔の２倍が短棒金の高さより短くなるように有するドロワと、ドロワを収納する格納部と、を備える。【選択図】図５
2014052795.tif 000002
【特許請求の範囲】
【請求項１】
棒金を収納する溝部に、少なくとも３つのセンサを、前記溝部の両端の前記センサと前記溝部の端部の隔壁との距離と、隣接する２つの前記センサの間隔との和が短棒金の高さより短く、隣接する２つの前記センサの間隔の２倍が前記短棒金の高さより短くなる範囲内に有するドロワと、
前記ドロワを収納する格納部と、
を備える棒金管理装置。
【請求項２】
全ての前記センサが棒金を検知した場合、当該溝部に収納されている棒金は長棒金であると判定し、
全ての前記センサが棒金を検知してはいないが、隣接する２以上のセンサが棒金を検知した場合、当該溝部に収納されている棒金は短棒金であると判定し、
前記判定の結果を、前記判定の結果に基づいて棒金の種類、金種、及び数量を管理する本体装置に送信する制御部をさらに備える請求項１記載の棒金管理装置。
【請求項３】
棒金管理装置が、
棒金を収納する溝部に、前記溝部の両端の前記センサと前記溝部の端部の隔壁との距離と、隣接する２つの前記センサの間隔との和が短棒金の高さより短く、隣接する２つの前記センサの間隔の２倍が前記短棒金の高さより短くなるように設置された少なくとも３つのセンサの出力に基づいて、
全ての前記センサが棒金を検知した場合、当該溝部に収納されている棒金は長棒金であると判定し、
全ての前記センサが棒金を検知してはいないが、隣接する２以上のセンサが棒金を検知した場合、当該溝部に収納されている棒金は短棒金であると判定する棒金管理プログラム。
【請求項４】
前記棒金管理装置が、
前記判定の結果を、前記判定の結果に基づいて棒金の種類、金種、及び数量を管理する本体装置に送信する請求項３記載の棒金管理プログラム。
【請求項５】
棒金を収納する溝部に、少なくとも３つのセンサを、前記溝部の両端の前記センサと前記溝部の端部の隔壁との距離と、隣接する２つの前記センサの間隔との和が短棒金の高さより短く、隣接する２つの前記センサの間隔の２倍が前記短棒金の高さより短くなる範囲内に有するドロワと、前記ドロワを収納する格納部と、を備える棒金管理装置と、
前記棒金管理装置に接続し、前記棒金管理装置からの出力に基づいて前記棒金の種類、金種、及び数量を管理する本体装置と、
を備える棒金管理システム。
【請求項６】
前記棒金管理装置は、
全ての前記センサが棒金を検知した場合、当該溝部に収納されている棒金は長棒金であると判定し、
全ての前記センサが棒金を検知してはいないが、隣接する２以上のセンサが棒金を検知した場合、当該溝部に収納されている棒金は短棒金であると判定し、
前記判定の結果を、前記判定の結果に基づいて棒金の種類、金種、及び数量を管理する本体装置に送信する請求項５記載の棒金管理システム。
【発明の詳細な説明】
【技術分野】
【０００１】
本発明の実施形態は、棒金管理装置、棒金管理プログラム及び棒金管理システムに関する。
【背景技術】
【０００２】
ＰＯＳ（Ｐｏｉｎｔ  Ｏｆ  Ｓａｌｅｓ）端末などの金銭管理装置においては、現在いくらの現金がその端末に格納されているかを把握し、かつその把握した金額と実際に格納されている現金とが正確に合っていることが重要である。
【０００３】
そこで、金銭管理装置は、預かり銭及び釣銭を計算管理する本体部と、紙幣を格納して管理する紙幣管理装置と、硬貨を格納して管理する硬貨管理装置と、硬貨を所定枚数ずつ包装した、いわゆる棒金を格納して管理する棒金管理装置と、を備え、金種ごとの数と合計金額とを計算するように構成されている。
【０００４】
オペレータは特定の硬貨が不足すると棒金管理装置から不足した棒金を取り出し、開封して硬貨管理装置に投入する。
【０００５】
従って、金銭管理装置が格納している現金の金額を把握するためには、棒金についても金種ごとの数量を把握する必要がある。
【０００６】
従来の棒金管理装置は、棒金を横に倒して収納する溝部の底部に、溝部の長手方向両端部に１つずつのセンサを備える。棒金管理装置はこのセンサの出力に基づいて棒金の有無を判定する。
【０００７】
しかし、近年通常の棒金より少ない枚数が包装され、棒金の硬貨積層方向の長さ、すなわち棒金の高さが通常の棒金より低い短棒金が用いられるようになってきた。
【０００８】
従って、通常の棒金を収納すべき溝部に短棒金が誤って収納された場合には棒金の金種及び数量が正確に判定できない。
【０００９】
この点に関し、短棒金を溝部に収納する場合には仕切壁によって溝部を区画し、通常の棒金が収納できないようにする技術が提案されている。
【００１０】
しかし、この技術によっても、仕切壁の設置のし忘れにより通常の棒金を収納するための溝部に短棒金が誤って収納されることは避けられない。
【先行技術文献】
【特許文献】
【００１１】
【特許文献１】特許第４８３２９１３号公報
【発明の概要】
【発明が解決しようとする課題】
【００１２】
従って、収納される棒金の種類、金種、数量を正確に検知できる棒金管理装置、棒金管理プログラム及び棒金管理システムが求められている。
【課題を解決するための手段】
【００１３】
上記の課題を解決するために、本発明の一実施形態は、棒金を収納する溝部に、少なくとも３つのセンサを、溝部の両端のセンサと溝部の端部の隔壁との距離と、隣接する２つのセンサの間隔との和が短棒金の高さより短く、隣接する２つのセンサの間隔の２倍が短棒金の高さより短くなるように有するドロワと、ドロワを収納する格納部と、ドロワの開閉を検知するドロワセンサと、を備える棒金管理装置を提供する。
【図面の簡単な説明】
【００１４】
【図１】棒金管理装置を備える金銭管理装置の外観斜視図である。
【図２】棒金管理装置の外観斜視図である。
【図３】ドロワを引き出した状態の棒金管理装置の外観斜視図である。
【図４】横溝部及び縦溝部の正面断面図である。
【図５】横溝部及び縦溝部の側面断面図である。
【図６】溝部に通常の棒金が収納された場合を示す側面断面図である。
【図７】溝部に短棒金が収納された場合を示す側面断面図である。
【図８】透過型センサを用いた場合の溝部の平面図である。
【図９】溝部に通常の棒金が収納された場合を示す側面断面図である。
【図１０】溝部に短棒金が収納された場合を示す側面断面図である。
【図１１】金銭管理装置の構成を示すブロック図である。
【図１２】金銭管理装置の動作を示すフローチャートである。
【発明を実施するための形態】
【００１５】
以下、棒金管理装置、棒金管理プログラム及び棒金管理システムの一実施形態について、図面を用いて詳細に説明する。
【００１６】
本実施形態の棒金管理装置は、棒金を収納する溝部に、少なくとも３つのセンサを、溝部の両端のセンサと溝部の端部の隔壁との距離と、隣接する２つのセンサの間隔との和が短棒金の高さより短く、隣接する２つのセンサの間隔の２倍が短棒金の高さより短くなるように有するドロワと、ドロワを収納する格納部と、ドロワの開閉を検知するドロワセンサと、を備える。
【００１７】
図１は、本実施形態の棒金管理装置２０を備える金銭管理装置１の外観斜視図である。図１に示すように、ＰＯＳ（Ｐｏｉｎｔ  Ｏｆ  Ｓａｌｅｓ）端末などの金銭管理装置１は、紙幣を格納し、紙幣の金種ごとの数量を計数管理する紙幣管理装置１３と、硬貨を格納し、硬貨の金種ごとの数量を計数管理する硬貨管理装置１２と、センサを備え、金種ごとに所定枚数ずつ包装された硬貨（以下、棒金という。）の金種ごとの数量をこのセンサによって検知する棒金管理装置２０と、ディスプレイ１１Ｄを備え、紙幣管理装置１３、硬貨管理装置１２及び棒金管理装置２０の出力から格納されている現金の合計金額を算出し、ディスプレイ１１Ｄに表示する本体装置１１と、を備える。
【００１８】
本体装置１１は、金銭管理装置１がＰＯＳ端末の場合は、売上金額と預かり金額とから釣銭を計算する。
【００１９】
また、本体装置１１は、金種ごとの数量を格納する金種テーブル１１Ａを備える。
【００２０】
紙幣管理装置１３は本体装置１１に接続される。紙幣管理装置１３は、紙幣投入孔と紙幣排出孔とを備え、紙幣投入孔から投入された紙幣を金種ごとに格納し、投入された紙幣の金種ごとの数量を本体装置１１に送信する。
【００２１】
硬貨管理装置１２は紙幣管理装置１３に接続される。硬貨管理装置１２は、硬貨投入孔と硬貨排出孔とを備え、硬貨投入孔から投入された硬貨を金種ごとに格納し、投入された硬貨の金種ごとの数量を、紙幣管理装置１３を経由して本体装置１１に送信する。
【００２２】
従って、本体装置１１は紙幣管理装置１３及び硬貨管理装置１２の出力から預かり金額の合計を算出することが可能となる。
【００２３】
本体装置１１は、預かり金額から売上金額を差し引き、釣銭を算出する。本体装置１１は、さらに釣銭として支払う金種ごとの枚数を計算し、硬貨管理装置１２及び紙幣管理装置１３に出金指示する。この出金指示の送信の際、本体装置１１は出金する金種ごとの数量を金種テーブル１１Ａの各数量から差し引く。
【００２４】
図２は、棒金管理装置２０の外観斜視図である。図３は、ドロワ２１を引き出した状態の棒金管理装置２０の外観斜視図である。
【００２５】
図２及び図３に示すように、棒金管理装置２０は棒金を格納するドロワ２１と、ドロワ２１を収納する格納部２０Ａと、を備える。
【００２６】
ドロワ２１は、ドロワ２１の幅方向に棒金を収納する横溝部２３と、ドロワ２１の引き出し方向に棒金を収納する縦溝部２４と、を備える。
【００２７】
図４は、横溝部２３及び縦溝部２４の正面断面図である。図５は、横溝部２３及び縦溝部２４（以下、横溝部２３及び縦溝部２４を併せて溝部という。）の側面断面図である。
【００２８】
図４及び図５に示すように、横溝部２３及び縦溝部２４は溝内部の底面部にセンサ４１を備える。センサ４１は、例えば磁気センサ又は光センサを用いることができる。
【００２９】
磁気センサは、磁束の変化により金属の種類に応じた電圧を出力する。硬貨は金種ごとに金属の組成が異なる。従って、棒金管理装置２０は磁気センサの出力に基づいて棒金の有無及び金種を判定できる。
【００３０】
光センサは、発光素子と受光素子を備え、受光素子は棒金が反射する発光素子からの光を受光し、光の強度に応じた電圧を出力する。従って、棒金の金種ごとの収納位置を決めておけば、棒金管理装置２０は光センサの出力に基づいて棒金の有無及び金種を判定できる。
【００３１】
図５に示すように、棒金管理装置２０は溝部に少なくとも３個のセンサ４１を備える。両端のセンサ４１と溝部の端部の隔壁２５との距離をＡ、隣接する２つのセンサ４１の間隔をＢとする。
【００３２】
棒金は、隣接する硬貨の平面部分を対向させて複数積層した複数の硬貨と、この積層した複数の硬貨を円筒状に包装する包装部材と、を備える。この円筒の両底面間の距離である硬貨積層方向の長さ、すなわち高さをＬとする。
【００３３】
通常の棒金より包装される硬貨の数が少ない棒金を短棒金という。短棒金の高さＬ１は、一般的には、通常の棒金の高さＬ２の半分以下である。
【００３４】
両端のセンサ４１と溝部の端部の隔壁との距離Ａと、隣接する２つのセンサ４１の間隔Ｂとの和は短棒金の高さＬ１より短い。
【００３５】
これを式にすると以下の（１）式のようになる。  
Ａ＋Ｂ＜Ｌ１  ・・・  （１）
また、隣接する２つのセンサ４１の間隔Ｂの２倍は短棒金の高さＬ１より短い。
【００３６】
これを式にすると以下の（２）式のようになる。  
２Ａ＜Ｌ１  ・・・  （２）
図６は、溝部に通常の棒金が収納された場合を示す側面断面図である。図６に示すように、溝部に通常の棒金が収納されると全てのセンサがＯＮとなる。
【００３７】
図７は、溝部に短棒金が収納された場合を示す側面断面図である。図７に示すように、溝部に短棒金が収納されると少なくとも２つのセンサがＯＮとなる。
【００３８】
図４乃至図７に示すセンサは、いわゆる反射型のセンサであり、一つのセンサ４１は発光素子と受光素子とを一つずつ備える。この反射型のセンサは物体が近くにあると反射光を受光素子が検知してＯＮとなる。
【００３９】
センサ４１には、いわゆる透過型センサを用いることもできる。透過型センサは発光素子と、発光素子とは別体の受光素子と、を備える。発光素子は受光素子に向けて光を照射し、この光が物体によって遮られるとＯＮからＯＦＦに変わる。
【００４０】
図８は、透過型センサを用いた場合の溝部の平面図である。図８に示すように、棒金管理装置２０は、溝部の対向する隔壁の一方に発光素子４２と、他方の隔壁に受光素子４３とを、対向して備える。以下、発光素子４２と受光素子４３とを合わせてセンサ４１という。
【００４１】
この場合も、両端のセンサ４１と溝部の端部の隔壁との距離Ａと、隣接する２つのセンサ４１の間隔Ｂとの和は短棒金の高さＬ１より短い。
【００４２】
これを式にすると上述の（１）式のようになる。  
また、隣接する２つのセンサ４１の間隔Ｂの２倍は短棒金の高さＬ１より短い。  
これを式にすると上述の（２）式のようになる。
【００４３】
図９は、溝部に通常の棒金が収納された場合を示す側面断面図である。図９に示すように、溝部に通常の棒金が収納されると全てのセンサがＯＦＦとなる。
【００４４】
図１０は、溝部に短棒金が収納された場合を示す側面断面図である。図１０に示すように、溝部に短棒金が収納されると少なくとも２つのセンサがＯＦＦとなる。
【００４５】
図１１は、金銭管理装置１の構成を示すブロック図である。図１１に示すように、金銭管理装置１は、本体装置１１と、紙幣管理装置１３と、硬貨管理装置１２と、棒金管理装置２０と、を備える。
【００４６】
本体装置１１は、ＣＰＵ（Central Processing Unit）などの演算装置６７と、メモリ、ハードディスクドライブなどの記憶装置６８と、通信を行う通信インターフェース（以下、インターフェースをＩ／Ｆという。）６６と、を備える。
【００４７】
本体装置１１は、通信Ｉ／Ｆ６６を介して、紙幣管理装置１３及び上位機器であるコントローラ６９と接続される。
【００４８】
棒金管理装置２０は、ＣＰＵなどの制御部６２と、メモリ、ハードディスクドライブなどの記憶装置６３と、通信を行う通信Ｉ／Ｆ６１と、センサ４１と、ドロワ２１の開閉を検知するドロワセンサ６５と、を備える。
【００４９】
ドロワ２１に収納されている棒金４０の検知は、ドロワ２１が開閉される度に行われ、その検知結果は紙幣管理装置１３を介して本体装置１１に送信される。
【００５０】
棒金４０がドロワ２１から出金され、開封されて硬貨管理装置１２に投入された場合、硬貨管理装置１２は硬貨の金種と枚数とを紙幣管理装置１３を介して本体装置１１に送信するとともに、金種テーブル１１Ａを更新する。
【００５１】
本体装置１１は、出金された棒金４０の金種と枚数とが、硬貨管理装置１２に投入された金種及び枚数と合っているかを判定し、合っていると判定できなかった場合にエラー通知を本体装置１１の親機であるコントローラに送信する。
【００５２】
図１２は、金銭管理装置１の動作を示すフローチャートである。図１２においては、センサ４１に物体を検知した場合ＯＦＦとなるセンサを用いた場合について説明する。
【００５３】
図１２に示すように、動作７０１において、棒金管理装置２０はドロワセンサ６５の出力に基づいてドロワ２１が開から閉になったかを判定する。棒金管理装置２０は、ドロワ２１が開から閉になったと判定した場合、動作７０２に進み、ドロワ２１が開から閉になったと判定しない場合、動作７０１に戻る。
【００５４】
動作７０２において、棒金管理装置２０は全てのセンサ４１がＯＦＦとなったかを判定する。棒金管理装置２０は全てのセンサ４１がＯＦＦとなったと判定した場合、動作７０４に進み、全てのセンサ４１がＯＦＦとなったと判定しない場合、動作７０３に進む。
【００５５】
動作７０３において、棒金管理装置２０は隣接する２以上のセンサ４１がＯＦＦとなったかを判定する。棒金管理装置２０は隣接する２以上のセンサ４１がＯＦＦとなったと判定した場合、動作７０６に進み、隣接する２以上のセンサ４１がＯＦＦとなったと判定しない場合、動作７０５に進む。
【００５６】
動作７０４において、棒金管理装置２０は、棒金の種類である棒金種を通常の棒金である長棒金と判定して記憶装置に当該溝部に格納された棒金は長棒金である旨を格納し、動作７１１に進む。
【００５７】
動作７０５において、棒金管理装置２０は１つのセンサ４１のみがＯＦＦとなったかを判定する。棒金管理装置２０は１つのセンサ４１のみがＯＦＦとなったと判定した場合、動作７０８に進み、１つのセンサ４１のみがＯＦＦとなったと判定しない場合、動作７０７に進む。
【００５８】
動作７０６において、棒金管理装置２０は、棒金種を短棒金と判定して記憶装置に当該溝部に格納された棒金は短棒金である旨を格納し、動作７１１に進む。
【００５９】
動作７０７において、棒金管理装置２０は全てのセンサ４１がＯＮとなったかを判定する。棒金管理装置２０は全てのセンサ４１がＯＮとなったと判定した場合、動作７１０に進み、全てのセンサ４１がＯＮとなったと判定しない場合、動作７０９に進む。
【００６０】
動作７０８において、棒金管理装置２０は、エラーフラグをＯＮにし、動作７１１に進む。
【００６１】
動作７１０において、棒金管理装置２０は、棒金が溝部から取り出されたことを示すフラグである取出し済フラグをＯＮにし、動作７１１に進む。
【００６２】
動作７１１において、棒金管理装置２０は、全ての溝部を検知したかを判定する。棒金管理装置２０は、全ての溝部を検知したと判定した場合、動作７１２に進み、全ての溝部を検知していないと判定した場合、動作７０２に戻って他の溝部を検知する。
【００６３】
動作７１２において、棒金管理装置２０は、記憶装置に格納された溝部ごとの格納棒金の種類乃至、取出し済かどうかを棒金収納情報として、本体装置１１に送信する。
【００６４】
本体装置１１は、受信した棒金収納情報に基づいて金種テーブル１１Ａを更新する。
【００６５】
以上述べたように、本実施形態の棒金管理装置２０は、棒金を収納する溝部に、両端のセンサ４１と溝部の端部の隔壁との距離Ａと、隣接する２つのセンサ４１の間隔Ｂとの和は短棒金の高さＬ１より短く、隣接する２つのセンサ４１の間隔Ｂの２倍は短棒金の高さＬ１より短くなるように少なくとも３つのセンサ４１を有するドロワ２１と、ドロワ２１を収納する格納部２０Ａと、を備える。
【００６６】
従って、収納される棒金の種類、金種、数量を正確に検知できるという効果がある。
【００６７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１１：本体装置
１２：硬貨管理装置
１３：紙幣管理装置
２０：棒金管理装置
２１：ドロワ
４１：センサ
【図１】
2014052795.tif 000003
【図２】
2014052795.tif 000004
【図３】
2014052795.tif 000005
【図４】
2014052795.tif 000006
【図５】
2014052795.tif 000007
【図６】
2014052795.tif 000008
【図７】
2014052795.tif 000009
【図８】
2014052795.tif 000010
【図９】
2014052795.tif 000011
【図１０】
2014052795.tif 000012
【図１１】
2014052795.tif 000013
【図１２】
2014052795.tif 000014